【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】
外部機器から供給されるコンテンツを記録する手段と、
コンテンツを再生する手段と、
記録指示がなされたときに前記再生手段が再生を行っている場合、前記再生手段を動作停止させ、前記記録手段を動作させる手段と、
を具備するコンテンツ記録再生装置。
【請求項２】
外部機器から供給されるコンテンツを記録する手段と、
コンテンツを再生する手段と、
動作モードを選択的に設定する手段と、
本装置が外部機器に接続されている場合、前記設定手段で設定されている動作モードに応じて前記記録手段と前記再生手段とを制御する手段と、
を具備するコンテンツ記録再生装置。
【請求項３】
外部機器から供給されるコンテンツを記録する手段と、
コンテンツを再生する手段、該再生手段は再生前にコンテンツデータをバッファする、と、
再生中に記録指示がなされたときに十分な量のコンテンツデータがバッファされている場合、前記記録手段を動作させる手段と、
を具備するコンテンツ記録再生装置。
【請求項４】
外部機器から供給されるコンテンツを記録する手段と、コンテンツを再生する手段とを具備する装置のコンテンツ記録再生方法であって、
記録指示がなされたときに前記再生手段が再生を行っている場合、前記再生手段を動作停止させ、前記記録手段を動作させるステップと、
を具備するコンテンツ記録再生方法。
【請求項５】
外部機器から供給されるコンテンツを記録する手段と、コンテンツを再生する手段とを具備する装置のコンテンツ記録再生方法であって、
動作モードを選択的に設定するステップと、
本装置が外部機器に接続されている場合、設定されている動作モードに応じて前記記録手段と前記再生手段とを制御するステップと、
を具備するコンテンツ記録再生方法。
【請求項６】
外部機器から供給されるコンテンツを記録する手段と、コンテンツを再生する手段、該再生手段は再生前にコンテンツデータをバッファする、とを具備する装置のコンテンツ記録再生方法において、
再生中に記録指示がなされたときに十分な量のコンテンツデータがバッファされている場合、前記記録手段を動作させるステップと、
を具備するコンテンツ記録再生方法。
【請求項７】
外部機器から供給されるコンテンツを記録する手段と、
コンテンツを再生する手段と、
本装置が外部機器に接続されている場合、コンテンツの再生を停止するために前記再生手段を非動作とし、新コンテンツの記録を開始するために前記記録手段を動作させる手段と、
を具備するコンテンツ記録再生装置。
【手続補正２】
【補正対象書類名】明細書
【補正対象項目名】００１７
【補正方法】変更
【補正の内容】
【００１７】
【課題を解決するための手段】
上記目的を達成するため、本発明は次のように構成する。
（１）外部機器から供給されるコンテンツを記録する手段と、
コンテンツを再生する手段と、
記録指示がなされたときに前記再生手段が再生を行っている場合、前記再生手段を動作停止させ、前記記録手段を動作させる手段と、
を具備するコンテンツ記録再生装置。
（２）記録指示がなされたときに前記再生手段が再生を行っていない場合、前記記録手段を動作させる手段をさらに具備することを特徴とする（１）記載のコンテンツ記録再生装置。
（３）記録指示がなされたときに前記記録手段が動作していない場合、前記記録手段を動作させる手段をさらに具備することを特徴とする（１）記載のコンテンツ記録再生装置。
（４）中断していた再生を記録が完了してから再開する手段をさらに具備することを特徴とする（１）記載のコンテンツ記録再生装置。
（５）外部機器から供給されるコンテンツを記録する手段と、
コンテンツを再生する手段と、
動作モードを選択的に設定する手段と、
本装置が外部機器に接続されている場合、前記設定手段で設定されている動作モードに応じて前記記録手段と前記再生手段とを制御する手段と、
を具備するコンテンツ記録再生装置。
（６）前記設定手段は第１、第２、第３、第４の動作モードのいずれかを設定し、
前記第１の動作モードが設定されている時は再生中に本装置が外部機器に接続されているならば再生を継続し、
前記第２の動作モードが設定されている時は再生中に本装置が外部機器に接続されているならば再生を停止し、記録を開始し、
前記第３の動作モードが設定されている時は再生中に本装置が外部機器に接続されているならば再生が完了してから記録を開始し、
前記第４の動作モードが設定されている時は再生中に本装置が外部機器に接続されているならば再生を中断し、記録を開始し、中断していた再生を記録が完了してから再開することを特徴とする（５）記載のコンテンツ記録再生装置。
（７）前記設定手段は動作モードを設定するためのユーザインターフェースを具備することを特徴とする（５）記載のコンテンツ記録再生装置。
（８）前記設定手段は外部機器からの動作モード設定指示を受信する手段を具備することを特徴とする（５）記載のコンテンツ記録再生装置。
（９）外部機器から供給されるコンテンツを記録する手段と、
コンテンツを再生する手段、該再生手段は再生前にコンテンツデータをバッファする、と、
再生中に記録指示がなされたときに十分な量のコンテンツデータがバッファされている場合、前記記録手段を動作させる手段と、
を具備するコンテンツ記録再生装置。
（１０）再生中に記録指示がなされたときに十分な量のコンテンツデータがバッファされていない場合、前記記録手段を非動作とする手段をさらに具備することを特徴とする（９）記載のコンテンツ記録再生装置。
（１１）再生中に記録指示がなされたときに十分な量のコンテンツデータがバッファされている場合、前記再生手段の再生を継続させる手段をさらに具備することを特徴とする（１０）記載のコンテンツ記録再生装置。
（１２）再生中に記録指示がなされたときに十分な量のコンテンツデータがバッファされている場合、前記記録手段の記録を開始させる手段をさらに具備することを特徴とする（１０）記載のコンテンツ記録再生装置。
（１３）動作モードを設定する手段と、
再生中に記録指示がなされたときに十分な量のコンテンツデータがバッファされていない場合、動作モードに応じて前記記録手段と前記再生手段とを制御する手段と、
をさらに具備することを特徴とする（９）記載のコンテンツ記録再生装置。
（１４）前記設定手段は第１、第２、第３、第４の動作モードのいずれかを設定し、
前記第１の動作モードが設定されている時は再生中に本装置が外部機器に接続されているならば再生を継続し、
前記第２の動作モードが設定されている時は再生中に本装置が外部機器に接続されているならば再生を停止し、記録を開始し、
前記第３の動作モードが設定されている時は再生中に本装置が外部機器に接続されているならば再生が完了してから記録を開始し、
前記第４の動作モードが設定されている時は再生中に本装置が外部機器に接続されているならば再生を中断し、記録を開始し、中断していた再生を記録が完了してから再開することを特徴とする（１３）記載のコンテンツ記録再生装置。
（１５）前記設定手段は動作モードを設定するためのユーザインターフェースを具備することを特徴とする（１４）記載のコンテンツ記録再生装置。
（１６）前記設定手段は外部機器からの動作モード設定指示を受信する手段を具備することを特徴とする（１３）記載のコンテンツ記録再生装置。
（１７）外部機器から供給されるコンテンツを記録する手段と、コンテンツを再生する手段とを具備する装置のコンテンツ記録再生方法であって、
記録指示がなされたときに前記再生手段が再生を行っている場合、前記再生手段を動作停止させ、前記記録手段を動作させるステップと、
を具備するコンテンツ記録再生方法。
（１８）記録指示がなされたときに前記再生手段が再生を行っていない場合、前記記録手段を動作させるステップをさらに具備することを特徴とする（１７）記載のコンテンツ記録再生方法。
（１９）記録指示がなされたときに前記記録手段が動作している場合、前記記録手段を動作させるステップをさらに具備することを特徴とする（１７）記載のコンテンツ記録再生方法。
（２０）中断していた再生を記録が完了してから再開するステップをさらに具備することを特徴とする（１７）記載のコンテンツ記録再生方法。
（２１）外部機器から供給されるコンテンツを記録する手段と、コンテンツを再生する手段とを具備する装置のコンテンツ記録再生方法であって、
動作モードを選択的に設定するステップと、
本装置が外部機器に接続されている場合、設定されている動作モードに応じて前記記録手段と前記再生手段とを制御するステップと、
を具備するコンテンツ記録再生方法。
（２２）前記動作モードは第１、第２、第３、第４の動作モードを含み、
前記第１の動作モードが設定されている時は再生中に本装置が外部機器に接続されているならば再生を継続し、
前記第２の動作モードが設定されている時は再生中に本装置が外部機器に接続されているならば再生を停止し、記録を開始し、
前記第３の動作モードが設定されている時は再生中に本装置が外部機器に接続されているならば再生が完了してから記録を開始し、
前記第４の動作モードが設定されている時は再生中に本装置が外部機器に接続されているならば再生を中断し、記録を開始し、中断していた再生を記録が完了してから再開することを特徴とする（２１）記載のコンテンツ記録再生方法。
（２３）ユーザインターフェースを用いて動作モードを設定するステップをさらに具備することを特徴とする（２１）記載のコンテンツ記録再生方法。
（２４）外部機器からの動作モード設定指示を受信するステップをさらに具備することを特徴とする（２１）記載のコンテンツ記録再生方法。
（２５）外部機器から供給されるコンテンツを記録する手段と、コンテンツを再生する手段、該再生手段は再生前にコンテンツデータをバッファする、とを具備する装置のコンテンツ記録再生方法において、
再生中に記録指示がなされたときに十分な量のコンテンツデータがバッファされている場合、前記記録手段を動作させるステップと、
を具備するコンテンツ記録再生方法。
（２６）再生中に記録指示がなされたときに十分な量のコンテンツデータがバッファされていない場合、記録が禁止されることを特徴とする（２５）記載のコンテンツ記録再生方法。
（２７）再生中に記録指示がなされたときに十分な量のコンテンツデータがバッファされている場合、再生が継続されることを特徴とする（２６）記載のコンテンツ記録再生方法。
（２８）再生中に記録指示がなされたときに十分な量のコンテンツデータがバッファされている場合、記録が開始されることを特徴とする（２６）記載のコンテンツ記録再生方法。
（２９）動作モードを設定するステップと、
再生中に記録指示がなされたときに十分な量のコンテンツデータがバッファされていない場合、前記記録手段と前記再生手段を動作モードに応じて制御するステップと、
をさらに具備することを特徴とする（２５）記載のコンテンツ記録再生方法。
（３０）前記動作モードは第１、第２、第３、第４の動作モードを含み、
前記第１の動作モードが設定されている時は再生中に本装置が外部機器に接続されているならば再生を継続し、
前記第２の動作モードが設定されている時は再生中に本装置が外部機器に接続されているならば再生を停止し、記録を開始し、
前記第３の動作モードが設定されている時は再生中に本装置が外部機器に接続されているならば再生が完了してから記録を開始し、
前記第４の動作モードが設定されている時は再生中に本装置が外部機器に接続されているならば再生を中断し、記録を開始し、中断していた再生を記録が完了してから再開することを特徴とする（２９）記載のコンテンツ記録再生方法。
（３１）ユーザインターフェースを用いて動作モードを設定するステップをさらに具備することを特徴とする（２９）記載のコンテンツ記録再生方法。
（３２）外部機器からの動作モード設定指示を受信するステップをさらに具備することを特徴とする（２９）記載のコンテンツ記録再生方法。
（３３）外部機器から供給されるコンテンツを記録する手段と、
コンテンツを再生する手段と、
本装置が外部機器に接続されている場合、コンテンツの再生を停止するために前記再生手段を非動作とし、新コンテンツの記録を開始するために前記記録手段を動作させる手段と、
を具備するコンテンツ記録再生装置。
（３４）新コンテンツの記録が完了した後再生を再開するために再生モードを実施する手段をさらに具備することを特徴とする（３３）記載のコンテンツ記録再生装置。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】